(57)【要約】【課題】正逆切替レバーがグリップを握る手の指に引っかかることを少なくする。【解決手段】モータと、前記モータを収容するハウジングと、前記モータにより回転駆動され、ハウジングの前方に設けられる先端工具と、前記先端工具を正転または逆転するように回転可能に操作可能な正逆切替レバーと、を有する電動工具であって、前記正逆切替レバーを、前後動可能にハウジングに設けたことを特徴とする電動工具により、解決することができる。【選択図】図１
2010234503.tif 000002
【特許請求の範囲】
【請求項１】
モータと、
前記モータを収容するハウジングと、
前記モータにより回転駆動され、ハウジングの前方に設けられる先端工具と、
前記先端工具を正転または逆転するように回転可能に操作可能な正逆切替レバーと、を有する電動工具であって、
前記正逆切替レバーを、前後動可能にハウジングに設けたことを特徴とする電動工具。
【請求項２】
前記正逆切替レバーには、引掛けが設けられており、
前記引掛けが、ハウジングに対して前後動可能であることを特徴とする請求項１記載の電動工具。
【請求項３】
モータと、
前記モータを収容するハウジングと、
前記モータにより回転駆動され、ハウジングの前方に設けられる先端工具と、
前記先端工具を正転または逆転するように回転可能に操作可能な正逆切替レバーと、を有する電動工具であって、
前記正逆切替レバーを、回動可能にハウジングに設けたことを特徴とする電動工具。
【請求項４】
前記正逆切替レバーは、前記ハウジングの左右方向から露出することを特徴とする請求項３記載の電動工具。
【発明の詳細な説明】
【技術分野】
【０００１】
本発明は、電動工具に関する。特に、先端工具を有する電動工具であって、その先端工具の回転方向を、一方向への回転または他方向への回転に切換可能な切換レバーを有する電動工具に関する。
【背景技術】
【０００２】
従来の電動工具の構造は、例えば、特許文献１の特開平５−３０１１７９に開示されている。特開平５−３０１１７９を用いて説明する。
携帯用電動工具には、モータの回転の正逆を切り換えるためのボタン２に正逆切替用のレバー４を設けられている。このボタン２を作業者が図３において、上下方向に押すことにより、レバー４が移動することにより、モータの回転を切り換えることができるようになっている。
【先行技術文献】
【特許文献】
【０００３】
【特許文献１】特開平５−３０１１７９
【発明の概要】
【発明が解決しようとする課題】
【０００４】
特許文献１の構成では、作業者が中指でトリガを引く際に、ボタン２に指が引っかかる場合があった。このため、中指でトリガを引く場合にも、指に引っかからないボタンがあれば、作業者はボタンを気にせずに作業を行うことができ、作業性が上がることになる。
【０００５】
又、携帯用電動工具よりボタンが突出するように構成されていると、例えば、ボタンが壁や床などに衝突することにより、作業者が意図しない正逆切替が行われる場合があった。
【０００６】
本発明の目的は、作業性の良い電動工具を提供することである。また、作業者が意図しない正逆切替が行われることが少ない電動工具を提供することである。
【課題を解決するための手段】
【０００７】
本発明の特許請求の範囲の請求項１記載の通り、モータと、前記モータを収容するハウジングと、前記モータにより回転駆動され、ハウジングの前方に設けられる先端工具と、前記先端工具を正転または逆転するように回転可能に操作可能な正逆切替レバーと、を有する電動工具であって、前記正逆切替レバーを、前後動可能にハウジングに設けたことを特徴とする電動工具により上記の目的は、解決することができる。
【０００８】
また、本発明の特許請求の範囲の請求項１記載の通り、モータと、前記モータを収容するハウジングと、前記モータにより回転駆動され、ハウジングの前方に設けられる先端工具と、前記先端工具を正転または逆転するように回転可能に操作可能な正逆切替レバーと、を有する電動工具であって、前記正逆切替レバーを、回動可能にハウジングに設けたことを特徴とする電動工具により上記の目的は、解決することができる。
【発明の効果】
【０００９】
本発明の特許請求の範囲の請求項１記載のように、モータと、前記モータを収容するハウジングと、前記モータにより回転駆動され、ハウジングの前方に設けられる先端工具と、前記先端工具を正転または逆転するように回転可能に操作可能な正逆切替レバーと、を有する電動工具であって、前記正逆切替レバーを、前後動可能にハウジングに設けたことを特徴とする電動工具により、正逆切替レバーがハウジングから突出する部分が小さいので、作業者が電動工具を握った際に、指が正逆切替レバーに当たることが少なくなる。このため、作業者は快適に作業をできるようになる。
【００１０】
本発明の特許請求の範囲の請求項２記載のように、前記正逆切替レバーには、引掛けが設けられており、前記引掛けが、ハウジングに対して前後動可能であることを特徴とする請求項１記載の電動工具により、正逆切替レバー全体を後方へと移動させなくともよいので、ハウジングをコンパクトに構成することができる。
【００１１】
本発明の特許請求の範囲の請求項３記載のように、モータと、前記モータを収容するハウジングと、前記モータにより回転駆動され、ハウジングの前方に設けられる先端工具と、前記先端工具を正転または逆転するように回転可能に操作可能な正逆切替レバーと、を有する電動工具であって、前記正逆切替レバーを、回動可能にハウジングに設けたことを特徴とする電動工具により、正逆切替レバーを回動させることにより正逆切替操作をできるので、正逆切替レバーが左右方向に延びるものに比較すると、左右方向の大きさが小さくなる。このため、正逆切替レバーが指に当たることが少なくなる。
【００１２】
本発明の特許請求の範囲の請求項４記載のように、前記正逆切替レバーは、前記ハウジングの左右方向から露出することを特徴とする請求項３記載の電動工具により、ハウジングの左右から正逆切替レバーを操作することができるので、作業者にとって作業性の良い電動工具とすることができる。
【図面の簡単な説明】
【００１３】
【図１】本発明の電動工具の一実施形態を示す電動インパクトドライバの外観図
【図２】本発明の電動工具の一実施形態を示す電動インパクトドライバの作業者による作業状態の一例を示す外観図
【図３】図１の一部断面図
【図４】図１のトリガスイッチの平面図
【図５】図１のＡ―Ａ断面で、正逆切替レバーが中立状態を示す平面図
【図６】図１のＡ―Ａ断面で、正逆切替レバーが正転状態を示す平面図
【図７】図１のＡ―Ａ断面で、正逆切替レバーが逆転状態を示す平面図
【図８】図２のＢ−Ｂ断面図
【図９】本発明を構成する正逆切替レバーの斜視図
【発明を実施するための形態】
【実施例１】
【００１４】
本発明の電動工具の一実施形態を図１から図８を用いて説明する。
【００１５】
電動工具の一実施形態として、電動のインパクトドライバ１を用いる。
【００１６】
図１は、本発明の電動工具の一実施形態を示す電動インパクトドライバの外観図、図２は、本発明の電動工具の一実施形態を示す電動インパクトドライバの作業者による作業状態の一例を示す外観図、図３は、図１の一部断面図、図４は、図１のトリガスイッチの平面図、図５は、図１のＡ―Ａ断面で、正逆切替レバーが中立状態を示す平面図、図６は、図１のＡ―Ａ断面で、正逆切替レバーが正転状態を示す平面図、図７は、図１のＡ―Ａ断面で、正逆切替レバーが逆転状態を示す平面図、図８は、図２のＢ−Ｂ断面図である。図９は、正逆切替レバーの斜視図である。
【００１７】
図１は、本発明の電動工具の一実施形態を示す電動インパクトドライバの外観図である。電動インパクトドライバ１は、ハウジング２を有する。ハウジング２は、後述するモータを収容するモータハウジング２Ａと、モータハウジング２Ａの前方に設けられるハンマケースハウジング２Ｄと、モータハウジング２Ａから下方に延びるグリップハウジング２Ｂと、グリップハウジング２Ｂの下部に設けられ、蓄電池を接続可能な蓄電池接続ハウジング２Ｃと、を有する。モータハウジング２Ａ、グリップハウジング２Ｂ、蓄電池接続ハウジング２Ｃは、左右方向に２分割される一体成型の樹脂により構成される。また、ハンマケースハウジング２Ｄは、略筒状のアルミなどの金属により構成される。
【００１８】
ハンマケースハウジング２Ｄの前方には、後述するビット１８を着脱可能に保持する先端工具保持部３が設けられている。ハンマケースハウジング２Ｄの前部には、弾性ゴムにより構成されるフロントキャップ６が設けられている。フロントキャップ６の内部には、後述するライト７が設けられている。
【００１９】
モータハウジング２Ａの下部付近には、正逆切替レバー２１が設けられている。正逆切替レバー２１は、モータハウジング２Ａの左右方向からその一部が突出するように設けられている。
【００２０】
グリップハウジング２Ｂの上部付近には、トリガ５が設けられている。トリガ５は、グリップ２Ｂにその一部が入出可能となっている。
【００２１】
蓄電池接続ハウジング２Ｃの下方には、蓄電池４が蓄電池接続ハウジング２Ｃに着脱可能に設けられている。蓄電池４は、操作部４Ａを有している。操作部４Ａを操作すると、蓄電池接続ハウジング２Ｃに対して蓄電池４を固定したり、固定を解除したりすることができるようになっている。
【００２２】
図２は、本発明の電動工具の一実施形態を示す電動インパクトドライバの作業者による作業状態の一例を示す外観図である。
【００２３】
作業者の右手Ｒは、グリップハウジング２Ｂを主に握ることとなる。図２中のように、図示しない親指、薬指Ｒ４、小指Ｒ５によりグリップハウジングを握り、トリガ５を中指Ｒ３で操作し、モータハウジング２Ａを人差し指Ｒ２により保持する使用方法を採る場合もある。このような使用方法においては、人差し指Ｒ２でモータハウジング２Ａを保持するので、作業者は安定して作用を行うことができる。
【００２４】
なお、他の方法としては、親指、中指、薬指、小指によりグリップハウジングを握り、人差し指でトリガを操作することも可能である。
【００２５】
図２中に示すように、人差し指Ｒ２と、正逆切替レバー２１が重なるような位置関係になっている。
【００２６】
図３は、図１の一部断面図を示す。
【００２７】
モータハウジング２Ａの内部には、電気により駆動されるブラシレスＤＣモータ４が収容されている。また、モータハウジング２Ａの内部には、後述する減速機構部が収容されている。また、モータハウジング２Ａとハンマケースハウジング２Ｄの内部には、後述する打撃機構部が収容されている。
【００２８】
ブラシレスＤＣモータ４は、モータハウジング２Ａに固定されるステータ４を有する。ステータ４は、ステータコア４Ａと、ステータコア４Ａに絶縁体を介して巻かれることにより固定されるステータコイル４Ａ１とを有する。ステータコア４Ａの外周には、図示しない凹部が設けられており、モータハウジングの内周面には、図示しない凸部が設けラ得ており、凹凸係合している。この凹凸係合により、ステータ４は、モータハウジング２Ａの内部で固定されている。
【００２９】
ステータ４の内部には、ロータ４Ｂが回転可能に設けられている。ロータ４Ｂには、４つの永久磁石４Ｂ１が固定されている。ロータ４Ｂには、図示しない穴部が設けられており、その穴部に永久磁石は挿入され、接着剤により固定されている。
【００３０】
ロータ４Ｂは、ロータ軸４Ｃに固定されている。ロータ軸４Ｃは、ロータ４Ｂの回転軸となる。ロータ軸４Ｃの前方には、ロータ前方ベアリング４Ｃ２が設けられている。また、ロータ軸４Ｃの後方には、ロータ後方ベアリング４Ｃ１が設けられている。
【００３１】
ロータ後方ベアリング４Ｃ１は、モータハウジング２Ａの後方に設けられた凹部に固定される。ロータ前方ベアリング４Ｃ２は、モータハウジング２Ａに樹脂製のインナカバ８を介して固定される。
【００３２】
ロータ軸４Ｃのロータ４Ｂの前方であって、前方ベアリング４Ｃ２の後方には、冷却ファン７が設けられている。冷却ファン７は、ロータ軸４Ｃに固定されている。
【００３３】
ロータ軸４Ｃの前部には、ピニオン１０が設けられている。ロータ軸４Ｃとピニオン１０は回転不能に固定されている。ピニオン１０には、歯が切ってあり歯車として作用する。
【００３４】
インナカバー８には、スピンドル１３をインナカバーに対して回転可能に保持するためのスピンドルベアリング９が設けられる。
【００３５】
ピニオン１０と噛合するように、２つの遊星歯車１１が設けられている。また、遊星歯車１１と噛合するように円形の内周に歯車が設けられたリングギヤ１２が設けられている。リングギヤ１２は、ハンマケースハウジング２Ｄの内周面の凸部と係合する凹部を有しており、凹凸係合により固定されている。なお、スピンドル１３に遊星歯車１１が回転可能に保持されている。
【００３６】
このように、ピニオン１０、遊星歯車１１、リングギヤ１２を減速機構部と呼ぶ。
【００３７】
スピンドル１３には、溝が切ってあり溝にはボール１５が挿入されている。また、ハンマ１６にも溝が切ってあり、前記したボール１５が挿入されている。スピンドル１３とハンマ１６の間には、金属の弾性体であるコイルスプリング１４が設けられている。
【００３８】
ハンマ１６の前方には突起が設けられている。ハンマ１６の前方には、その突起と係合する突起を有するアンビル１７が設けられている。アンビル１７は、ハンマケースハウジング２Ｄの内部に設けられる、メタルベアリング（油を含有させた含有軸受）により、ハンマケースハウジング２Ｄ内部で回転可能に保持されている。
【００３９】
このように、スピンドル１３、コイルスプリング１４、ボール１５、ハンマ１６、アンビル１７を打撃機構部と呼ぶ。
【００４０】
アンビル１７の前方には、前記した先端工具保持部３が設けられている。先端工具保持部３は、チャックなどとも呼ばれる。先端工具保持部３は操作可能になっており、操作することにより点線で示す、ビット１８をアンビル１７に固定したり、固定を解除したりすることができるようになっている。
【００４１】
ハンマケースハウジング２Ｄには、ライト７が固定されている。ライト７は、フロントキャップ６によりその前方を覆われている。
【００４２】
なお、図中に示すように、ハンマケースハウジング２Ｄの後方は、モータハウジング２Ａに一部を覆われるように構成されている。
【００４３】
ハンマケースハウジング２Ｄの下部には、凹部が設けられている。正逆切替スイッチ２１から上方に延びる突起２１Ｂは、この凹部と係合する。この突起２１Ｂ及び凹部により、正逆切替スイッチ２１は、モータハウジング２Ａの内部で回転可能に保持される。また、正逆切替スイッチ２１は、その左右の位置に引掛り２１Ａが設けられている。
【００４４】
トリガ５の後方には、トリガ５により操作されるトリガスイッチ部５Ａが設けられる。トリガスイッチ部５Ａにより、蓄電池４からモータ４への通電が可能となる。
【００４５】
蓄電池接続部２Ｃの内部には、回路基板１９が設けられている。回路基板には、コイルに通電するためのスイッチング素子や、マイコンなどを設ける。蓄電池接続部２Ｃから下方に延びるように端子２０が設けられている。端子２０は、蓄電池４の端子接続部と接続される。この端子２０により、蓄電池４からの電力が供給されることとなる。
【００４６】
図４は、図１のトリガスイッチの平面図である。回動軸５Ｃと、回動軸５Ｃを回動中心として回動するトリガ棒部５Ｂとが設けられている。トリガ棒部は、３つの位置をトルコとができるようになっている。第１の位置では、モータ４を一方向へと回転させるように回路構成をすることができるようになっている。第２の位置では、モータ４を前記した一方向とは逆方向へと回転させるように回路構成をすることができるようになっている。なお、第３の位置では、トリガ５を引くことができないようになっている。
【００４７】
図５は、図１のＡ―Ａ断面で、正逆切替レバーが中立状態を示す平面図である。この中立状態とは、前記した第３の位置にトリガ棒部５Ｂがある状態である。この状態では、トリガ棒部５Ｂがトリガ５に設けられた壁部に当接することとなる。このため、作業者がトリガ５を引こうとしても、引くことができないようになっている。
【００４８】
図６は、図１のＡ―Ａ断面で、正逆切替レバーが正転状態を示す平面図である。この正転状態とは、トリガ棒部５Ｂが右方向に位置している。これは、前記した第１の位置にトリガ棒部５Ｂが位置している状態である。これは、図５の状態から、引掛り２１Ａに作業者が指を引掛け、正逆切替レバー２１を回動させることにより図６の状態となる。この正逆切替レバー２１の回動の際には、正逆切替レバー２１の右側の引掛り２１Ａ１を後方に押す。このように正逆切替レバー２１の右側の引掛り２１Ａ１を後方に押すことにより、右側の引掛り２１Ａ１が後方へと移動することになる。
【００４９】
図７は、図１のＡ―Ａ断面で、正逆切替レバーが逆転状態を示す平面図である。この逆転状態とは、トリガ棒部５Ｂが左に位置している。これは、前記した第２の位置にトリガ棒部５Ｂが位置している状態である。これは、図５の状態から、引掛り２１Ａに作業者が指を引掛け、図６の状態とは逆方向に正逆切替レバー２１を回動させることにより図６の状態となる。この正逆切替レバー２１の回動の際には、正逆切替レバー２１の左側の引掛り２１Ａ２を後方に押す。このように正逆切替レバー２１を後方に押すことにより、左側の引掛り２１Ａ２が後方へと移動することになる。
【００５０】
図８は、図２のＢ−Ｂ断面図である。
【００５１】
モータハウジング２Ａから正逆切替レバー２１が一部突出しているが、その突出量が非常に小さい。このため、作業者の右手の人差し指Ｒ２が正逆切替レバー２１と接触した際にも、作業者が正逆切替レバー２１を邪魔であると考えることが少なくなり、作業性が向上する。
【００５２】
図９は、正逆切替レバーの斜視図である。
【００５３】
正逆切替スイッチ２１から上方に延びる突起２１Ｂが設けられている。また、左右方向に延びる２つの引掛り２１Ａが設けられている。トリガ棒部５Ｂと係合する穴部２１Ｃが設けられている。
【００５４】
以上のような構成をした電動インパクトドライバ１の動作について、説明する。図２に示すように、作業者が電動インパクトドライバ１を握った状態で、トリガ５を引くと、蓄電池４からトリガスイッチ部５Ａを介してステータコイル４Ａ１へと通電される。ステータコイル４Ａ１に通電されると、ロータ４Ｂの永久磁石４Ｂ１との電磁作用により、ロータ４Ｂは、ステータ４Ａに対して回転する。ロータ４Ｂに固定されるロータ軸４Ｃ、冷却ファン７、ピニオン１０も回転する。
【００５５】
冷却ファン７は、回転することによりモータハウジング２Ａの内部へとモータハウジング２Ａの外部より空気を取り込む。そして、取り込んだ空気で、モータ４を冷却する。モータを冷却した取り込んだ空気は、その後、モータハウジング２Ａの外部へと排出される。
【００５６】
ピニオン１０の回転により、遊星歯車１１が回転する。遊星歯車１１が固定されているスピンドル１３も回転する。スピンドル１３の回転により、ボール１５がスピンドル１３の後方へと移動する。このボール１５のによりハンマが後方へとコイルスプリング１４の弾性力に抗して移動する。
【００５７】
この際に、ハンマ１６前方の突起が、アンビル１７の突起を打撃することにより、アンビル１７には衝撃的な打撃が伝達される。この回転方向の打撃により、ビット１８は、ネジなどを締めることができる。なお、この際には、図６に示すような正逆切替レバー２１の位置になっている。
【００５８】
もしも、締めたネジを緩めたい場合には、図７のように正逆切替レバー２１を回転させることが必要である。
【００５９】
引いたトリガ５を一端戻して、引掛け２１Ａに指を引掛けて、突起２１Ｂを回動中心として正逆切り替えレバー２１を反時計回りに回転させる。これにより、トリガ棒部５Ｂが左側に位置するようになり、モータ４を逆転することができるようになる。
【００６０】
本発明の一実施形態では、蓄電池によりモータへと給電する構成としたが、ＡＣの電源によりモータへと給電する攻勢であっても良い。
【００６１】
本発明の一実施形態では、電動工具として、電動インパクトドライバを用いたが、殿堂のドライバドリル、振動ドリル（震動ドリル）、ドリルなどであっても良い。
【符号の説明】
【００６２】
１  電動インパクトドライバ
２  ハウジング
３  先端工具保持部
４  蓄電池
５  トリガ
６  フロントキャップ
７  ライト
８  インナカバ
９  スピンドルベアリング
１０  ピニオン
１１  遊星歯車
１２  リングギヤ
１３  スピンドル
１４  コイルスプリング
１５  ボール
１６  ハンマ
１７  アンビル
１８  ビット
１９  回路基板
２０  端子
【図１】
2010234503.tif 000003
【図２】
2010234503.tif 000004
【図３】
2010234503.tif 000005
【図４】
2010234503.tif 000006
【図５】
2010234503.tif 000007
【図６】
2010234503.tif 000008
【図７】
2010234503.tif 000009
【図８】
2010234503.tif 000010
【図９】
2010234503.tif 000011